(57)【要約】      （修正有）【課題】一品作品ではなくても、肌の温もりが感じられ、心情に訴える趣があるために、室内の雰囲気をこの上なく高め得るインテリア展示物を提供する。【解決手段】木製のパネル１の表面に、しけ絹紙３を張り合わせて、当該表面を化粧面に形成し、該化粧面の上に芸術・美術の表現としてのアートコンテンツ７を視覚的に設けた。【効果】アートコンテンツが一点作品のような名品でなく、普通の単なる模様であっても、趣にあふれた化粧面を背景として格調高く鑑賞され、肌の温もりも感じられ、心情に訴えるために、室内の雰囲気をこの上なく高め得るという優れた効果がある。【選択図】図１
0003209818.tif 000002
【実用新案登録請求の範囲】
【請求項１】
木製のパネルの表面に、しけ絹紙を張り合わせて、当該表面を化粧面に形成し、該化粧面の上に芸術・美術の表現としてのアートコンテンツを視覚的に設けたことを特徴とするインテリア展示物。
【請求項２】
前記アートコンテンツの表現について、その模様が表されたアート素材を前記化粧面の真ん中にポイント的に添着してなることを特徴とする請求項１記載のインテリア展示物。
【考案の詳細な説明】
【技術分野】
【０００１】
この考案は、室内の装飾のために、置いたり掛けたりして使用される置物、壁掛けなどに類するインテリア展示物に関する。
【背景技術】
【０００２】
従来のインテリア展示物は、置物であると、例えば、動物や人間、生活用品等を象形しあるいは抽象化したものであり、壁掛けとしては、額縁が代表的に挙げられるが、その中に納める作品はさまざまとなる。このほかに旅の思い出となる記念品等が壁に止めたり掛けたりして鑑賞される場合もある。
【０００３】
しかしながら、従来のこのようなインテリア展示物は、大概の場合、量産されたものであるため、趣に欠け単調な雰囲気であり、人の心情に訴えるものが少ない。高名な作者の一品作品であれば心の糧となる芸術性も期待できるが、贋作やコピイもあり期待に反する結果となることも多い。
【考案の概要】
【考案が解決しようとする課題】
【０００４】
従来、インテリア展示物には上記のような問題があったので、この考案は、一品作品ではなくても、肌の温もりが感じられ、心情に訴える趣があるために、室内の雰囲気をこの上なく高め得るインテリア展示物を提供することを課題とした。
【課題を解決するための手段】
【０００５】
上記の課題を解決するために、この考案は、木製のパネルの表面に、しけ絹紙を張り合わせて、当該表面を化粧面に形成し、該化粧面の上に芸術・美術の表現としてのアートコンテンツを視覚的に設けたことを特徴とするインテリア展示物を提供する。
【０００６】
しけ絹とは、二頭（二匹）の蚕がともにつくったという特異な繭玉で、それが１００個から２，３個しか取れないために珍しいとされるものの絹であって、二頭の蚕がつくった玉糸は、通常の艶のある生糸とは違う趣があり、ハリと強さに富み、独特の節が美しく印象に残るという自然美の特異性があるものである。なお、昔は、このしけ絹の玉糸で織られる絹は「節絹」と呼ばれ、上等な着物にはならないということで、廃棄され、または安価に取引きされていたという。
【０００７】
このしけ絹によって、化粧面を形成するには、まず、和紙にしけ絹を貼り合わせて成るしけ絹紙を化粧面に糊等で張り付ける。そうするとしけ絹の美しく趣のある化粧面となるが、下地のパネルの材質の影響も受け、下地としけ絹との複合化した趣のある化粧面が表出することになる。
【考案の効果】
【０００８】
以上説明したように、この考案のインテリア展示物によれば、アートコンテンツが一点作品のような名品でなく、普通の単なる模様であっても、趣にあふれた化粧面を背景として格調高く鑑賞され、肌の温もりも感じられ、心情に訴えるために、室内の雰囲気をこの上なく高め得るという優れた効果がある。
【図面の簡単な説明】
【０００９】
【図１】この考案のインテリア展示物を一部破断して示す斜視図である。
【図２】同インテリア展示物の分解斜視図である。
【図３】図１のA−Ａ線矢視の断面図である。
【図４】Ｂ−Ｂ線矢視の断面図である。
【図５】他の実施例を示すインテリア展示物の一部破断して示す斜視図である。
【図６】さらに他の実施例を示すパネルの斜視図である。
【考案を実施するための形態】
【００１０】
この考案においては、パネルを被覆するしけ絹紙（松井機業製）が、絹の中でも特異のもので、二頭の蚕が作る過程などから艶消しされたという素朴な色合いのしけ絹を素材に化粧面を形成していることから、それを背景としてアートの中身（アートコンテンツ）が異論なく自然に表出される。
【００１１】
そこで、アートコンテンツがいわゆる純粋な作品に限られなく、作家の絵をデジタル化したものを再生した絵、デジタルデザインした絵模様、写真データからのコピイ等であっても全体として趣が保たれて心情に訴えることになる。
【００１２】
また、アートコンテンツの表現（刻印方法）としては、しけ絹紙にダイレクトにUV印刷（和紙に印刷、アクリル裏側から印刷など）、レーザーエッチング（下地が例えば真鍮、アクリル樹脂、和紙の場合など）、メタルフォト（アルミプレート+感光剤）によるものなどがある。なお、アートコンテンツの刻印素材としては、例えば蛭谷和紙、真鍮、アクリル、メタルフォトが挙げられる。
【実施例１】
【００１３】
図１ないし図４は、額縁様にした一実施例を示したもので、そのインテリア展示物Pａは、パネル１と、その前面に糊付けされるしけ絹をベースとするしけ絹紙３と、このしけ絹紙３の表面に糊付けされるアート素材５とからなり、これにアートコンテンツとして絵模様７が中心的に表現される。なお、裏側にはヒートン１０を介して壁掛けの吊紐が備えてある。なお、アートコンテンツの刻印方法としては、ＵＶ印刷（和紙に印刷、アクリル裏側から印刷）、レーザーエッチング（真鍮、アクリル、和紙）、メタルフォト（アルミプレート+感光剤）などが行われる。
【００１４】
パネル１は、富山県産の杉の木板９に矩形の木枠１１を固着し一体化したもので、木板９の前面にしけ絹紙３が木枠１１にまで糊付けして張り合わせてある。なお、木枠１１の形態は額縁様とか襖様（形式）などであっても良い。
【００１５】
しけ絹紙３は、しけ絹を紡いだ糸で織った敷布が数色に染められ使用される。したがって、前方から見たときパネル全体が紺色のしけ絹紙３で被覆されているように見える。
【００１６】
アート素材５は、一例ではあるが、しけ絹の繊維からなる不織布が使用され、しけ絹紙３の前面の中央部を占める広さの矩形であって、周囲は千切りのランダム形に趣きに形成され、白地において中央部に絵模様７が印刷される。アート素材５としけ絹紙パネルの接合としては、糊貼り、糊貼り+アクリルカバー飾りビス止め、接着紙、飾りビス止め、などが行われる。なお、アート素材５としては、アクリル樹脂、金属板、しけ絹紙に直接ＵＶ印刷をしたものなどを挙げることができる。
【実施例２】
【００１７】
図５は、他の実施例として、パネル１が木枠４との複合金属製であるインテリア展示物Ｐｂを示したもので、前記実施例における木製パネルにステンレスの金属板１５を貼り合わせた構造であり、金属板１５の周囲に折込部１７を形成して一体化される。
【００１８】
金属板１５の表面には、これも一例ではあるが、しけ絹からなる不織布の薄いしけ絹紙３が貼り付けられ、前面には絵模様７が描かれている。または、ステンレス板を木製パネルに貼り、その上に印刷したしけ絹紙を貼ってもよい。或いは、磁石に飾りをつける（ＬＨコートに印刷、レーザーでカットし組み立てたもの）方法もある。
【実施例３】
【００１９】
図６に示した実施例は、パネル１が（富山県産の）杉材の場合を提示する。杉材には年輪１９がくっきりと表れているので、化粧面ではしけ絹紙３をかすかに通して年輪が見えて独特の雰囲気が醸し出されることになる。
【００２０】
さらなる実施例として、図示は省略するが、
イ）アクリルの裏側からＵＶ印刷した絵と、しけ絹紙を貼ったパネルとを組み合わせたタイプ
ロ）しけ絹紙に直接ＵＶプリントしたものをパネルに貼ったタイプ
ハ）しけ絹紙を貼ったパネルに、金属の表面にＵＶ印刷又はレーザエッチングしたアート作品を組み合わせタイプなどを挙げることができる。
【符号の説明】
【００２１】
Pa，Pb  インテリア展示物
１  パネル
３  しけ絹紙
５  アート素材
７  アートコンテンツとしての絵模様
９  木板
１５  金属板
【図１】
0003209818.tif 000003
【図２】
0003209818.tif 000004
【図３】
0003209818.tif 000005
【図４】
0003209818.tif 000006
【図５】
0003209818.tif 000007
【図６】
0003209818.tif 000008